(57)【要約】【課題】ワイヤ巻取りリールにおいて、ワイヤ張力に起因して発生する締め付け負荷を、軽量かつ簡素な手段によって低減できるようにする。【解決手段】円筒状の巻き胴２の両端にフランジ３、３を有するワイヤ巻取りリール１において、巻き胴２の内周にパイプ状部材４を冷やしばめにより挿入し、ワイヤ巻き付け時の締め付け負荷を相殺する方向（巻き胴２に対し内側から拡径方向外向き）に与圧をかける。与圧をかける手段は、巻き胴の内周に圧縮状態でコイルバネ又は板バネを配置するもの等であってもよい。【選択図】        図１
2004292128.tif 000002
【特許請求の範囲】
【請求項１】
円筒状の巻き胴の両端にフランジを有するワイヤ巻取りリールにおいて、前記巻き胴の内周に冷やしばめによりパイプ状部材を挿入したことを特徴とするワイヤ巻取りリール。
【請求項２】
円筒状の巻き胴の両端にフランジを有するワイヤ巻取りリールにおいて、前記巻き胴の内周に該巻き胴に対し径方向に圧縮してコイルバネ又は板バネを挿入したことを特徴とするワイヤ巻取りリール。
【発明の詳細な説明】
【０００１】
【発明の属する技術分野】
本発明は、ワイヤ巻取りリールに関し、特に、ワイヤ巻き付け時のワイヤ張力に起因して発生する締め付け負荷を低減する技術に関する。
【０００２】
【従来の技術】
ソーワイヤ用等のワイヤ巻取り用リールとして、円筒状の巻き胴の両端にフランジを有するもの（例えば、特許文献１参照）が従来から使用されている。
【０００３】
【特許文献１】
実開平５−４１６６３号公報
【０００４】
【発明が解決しようとする課題】
ところで、従来のワイヤ巻取りリールは、例えばソーワイヤのような極細金属線のワイヤを巻き付けると、ワイヤ張力に起因して発生する締め付け力及び側圧（押し拡げ力）が極めて大きくなる。ワイヤ巻取りリールは、この締め付け力に対し、また、側圧がフランジを押し拡げることによる変形に対して、十分な強度を有するものでなくてはならず、また、十分な剛性を有するものでなくてはならない。
【０００５】
ソーワイヤのような極細金属線を多層かつ稠密に巻き付ける場合、ワイヤ張力に起因して発生する締め付け力及び側圧は大きく、そのため、巻き胴は両端部がフランジに固定された状態で中央部が絞られる形に変形し、両側のフランジは、側圧により、巻き胴に対し外周側でフランジ間の間隔が拡がる方向へ変形しつつ、リール全体としては、巻き胴の変形に伴い外周側でフランジ間の間隔が狭まる形となり、その際、締め付け力及び側圧による負荷（締め付け負荷）が、巻き胴とフランジとの接続部分であるコーナー部に集中する。そして、その締め付け負荷が過大になると、コーナー部から破損する恐れある。そのため、リールには、締め付け負荷に対する十分な強度と剛性が要求される。
【０００６】
しかしながら、従来のワイヤ巻取りリールは、上記締め付け負荷に対する強度と剛性を確保するためには、巻き胴及びフランジを厚肉にせざるを得ず、そのため、重量が大で、取り扱い性が悪く、運搬コストがかさみ、また、材料費や加工コストがかさみ、高価となっていた。
【０００７】
そこで、ワイヤ巻取りリールにおいて、ワイヤ張力に起因して発生する締め付け負荷を、軽量かつ簡素な手段によって低減できるようにすることが課題であり、この課題解決が本発明の目的である。
【０００８】
【課題を解決するための手段】
本発明は、円筒状の巻き胴の両端にフランジを有するワイヤ巻取りリールにおいて、前記巻き胴の内周に冷やしばめによりパイプ状部材を挿入したもの（請求項１に係る発明）であり、また、円筒状の巻き胴の両端にフランジを有するワイヤ巻取りリールにおいて、前記巻き胴の内周に該巻き胴に対し径方向に圧縮してコイルバネ又は板バネを挿入したもの（請求項１に係る発明）である。
【０００９】
このように、円筒状の巻き胴の両端にフランジを有するワイヤ巻取りリールにおいて、巻き胴の内周に冷やしばめによりパイプ状部材を挿入することにより、あるいは、巻き胴の内周に該巻き胴に対し径方向に圧縮してコイルバネ又は板バネを挿入することにより、巻き胴に対しワイヤ巻き付け時の締め付け負荷を相殺する方向に与圧がかかり、巻き胴にかかる締め付け負荷が低減され、ワイヤを巻き付けた時の巻き胴の変形が抑制されて、巻き胴とフランジとの接続部分であるコーナー部への負荷の集中が緩和され、コーナー部からの破損が防止される。
【００１０】
【発明の実施の形態】
以下、図面に基づいて本発明の実施の形態を説明する。
【００１１】
図１は本発明の実施の形態のワイヤ巻取りリールの一部破断正面図、図２は同側面図である。図に示す実施の形態のワイヤ巻取りリール１は、例えば人工水晶、シリコン、セラミック等の硬質材料の切断に用いられるワイヤソー用ワイヤ（ソーワイヤ）等の、線径が例えば０．２０ｍｍ以下の極細金属線の繰出し及び巻取り用のリールで、円筒状の巻き胴２を有し、該巻き胴２の両端に環状のフランジ３、３を有し、これら巻き胴２と両端のフランジ３、３とが、例えばクロムモリブデン強じん鋼（ＳＣＭ４４０）を素材として一体に形成されている。
【００１２】
巻き胴２の内部には、ワイヤ巻き付け時の締め付け負荷を相殺する方向、すなわち、巻き胴２に対し内側から拡径方向外向きに、与圧をかける与圧手段として、常温単体にて外径が巻き胴２の内径より所定寸法大きく、巻き胴２と略長さの等しいパイプ状部材４が、巻き胴２の内周に冷やしばめで挿入されている。そして、両端のフランジ３、３には、軸方向外方から円板状の支持板５、５が装着されて、ボルト固定され、これら両側の支持板５、５を連結するパイプ状の連結部材６が、巻き胴２の軸心部を貫通している。
【００１３】
そして、両側の支持板５、５の軸心部外面には、図示しないワイヤソー装置に装着するための軸穴７が設けられ、それら軸穴７の底部に、図示しないワイヤソー装置への装着時および取り外し時の吊り下げ用のネジ穴８が設けれている。また、フランジ３、３の外面には、回転起動のための蹴り穴９が２対設けられ、フランジ３，３の外周には、等間隔４箇所に、横倒し状態でリールを吊り上げるためのネジ穴１０が設けられている。
【００１４】
このワイヤ巻取りリール１は、冷やしばめで挿入されたパイプ状部材４により、巻き胴２に対し内側から拡径方向外向きに与圧がかかる。そのため、ワイヤ巻き付け時に、巻き胴２にかかる締め付け負荷が低減され、巻き胴２の変形が抑制されて、巻き胴２とフランジ３、３との接続部分であるコーナー部Ｒへの負荷の集中が緩和され、コーナー部Ｒからの破損が防止される。
【００１５】
なお、図示の例は、与圧手段をパイプ状部材４により構成したものであるが、巻き胴２の内周に巻き胴２の径方向に圧縮した状態でコイルバネ又は板バネを配置する等によって与圧手段を構成することもできる。
【００１６】
また、本発明はソーワイヤ用以外の他のワイヤ巻取りリールにも適用できる。リールの素材は、用途や使用条件等によって、ＳＣＭ４４０以外のクロムモリブデン強じん鋼、その他の合金鋼あるいは炭素鋼、その他、様々な材料を使用することが可能である。
【００１７】
上記実施の形態では、巻き胴とフランジとが一体に形成されているが、本発明は、巻き胴とフランジとを別体として溶接により接合した溶接リールや、やはり巻き胴とフランジと別体としてボルトで連結した組立リール等、様々な構成のリールに適用することができる。
【００１８】
【発明の効果】
以上の説明から明らかなように、本発明のワイヤ巻取りリールは、巻き胴の内周に冷やしばめによりパイプ状部材を挿入することにより、あるいは、巻き胴の内周に該巻き胴に対し径方向に圧縮してコイルバネ又は板バネを挿入することにより、巻き胴にかかる締め付け負荷を低減することができ、ワイヤを巻き付けた時の巻き胴の変形を抑制し、巻き胴とフランジとの接続部分であるコーナー部への負荷の集中を緩和して、コーナー部からの破損を防止するようにできる。そして、そのための与圧手段を軽量かつ簡素に構成できる。
【図面の簡単な説明】
【図１】本発明の実施の形態のワイヤ巻取りリールの一部破断正面図である。
【図２】本発明の実施の形態のワイヤ巻取りリールの側面図である。
【符号の説明】
１  ワイヤ巻取りリール
２  巻き胴
３  フランジ
４  パイプ状部材
【図１】
2004292128.tif 000003
【図２】
2004292128.tif 000004